(57)【特許請求の範囲】
【請求項１】
洗い場側空間に面する浴槽エプロンと、下方に洗い場側空間の一部を開けたカウンターを備え、浴槽エプロンは、作業口を開口して一方から他方へ延びるエプロン本体と、エプロン本体に着脱可能に取付けて作業口を覆う内蓋と、エプロン本体に取付けてエプロン本体及び内蓋を覆う一方と他方に分割した外蓋とを備え、一方の外蓋とカウンターの端部とを接近させて対向させ、他方の外蓋とカウンターの端部とを対向させない浴室において、
一方の外蓋とエプロン本体との間に、他方の外蓋をエプロン本体から分離したときに、一方の外蓋をカウンターの端部と対向する一方側位置からエプロン本体から分離できる他方側位置までエプロン本体に沿って案内する案内手段を設け、
前記作業口及び内蓋が、前記エプロン本体における前記一方の外蓋と対向する領域及び前記他方の外蓋と対向する領域の両方に跨がっていることを特徴とする浴槽エプロン及びカウンターを備えた浴室。
【発明の詳細な説明】
【技術分野】
【０００１】
本発明は、浴槽エプロン及びカウンターを備えた浴室に関するものである。
【背景技術】
【０００２】
従来、浴槽エプロン及びカウンターを備えた浴室５１は、図８に示す如く、図中手前側の洗い場側空間Ｓに面する浴槽エプロン５２と、下方に洗い場側空間Ｓの一部Ｓａを開けて一方端側にカウンター５６を備え、浴槽エプロン５２が、作業口５３ａを開口して一方から他方へ延びるエプロン本体５３と、エプロン本体５３に着脱可能に取付けて作業口５３ａを覆う内蓋５４と、エプロン本体５３に取付けてエプロン本体５３及び内蓋５４を覆う外蓋５５とを備え、外蓋５５を一方の外蓋５５Ａと他方の外蓋５５Ｂとに分割し、一方の外蓋５５Ａとカウンター５６の端部を接近させて対向させ、他方の外蓋５５Ｂとカウンター５６の端部を対向させないものがある（特許文献１）。
【特許文献１】特開２００６−２３０５３３号公報
【発明の開示】
【発明が解決しようとする課題】
【０００３】
ところで、従来の浴室５１は、エプロン本体５３に一方の外蓋５５Ａを取付けた後にカウンター５６を配置して施工すると、施工後では、一方の外蓋５５Ａ及び一方の外蓋５５Ａで覆われた一方の内蓋５４を取外そうとしても、カウンター５６が邪魔となるため、一方の作業口５３ａ−１を開口させることができない。そのため、作業者は、浴槽エプロン５２で覆われた浴槽設置側領域の内の、一方の作業口５３ａ−１に隣接する一方側領域に対して洗い場側空間Ｓ側から作業を行うには、この一方側領域から離れている他方の作業口５３ａ−２から行うしかないため、作業がし難かった。またエプロン本体５３における外蓋５５Ａと対向する領域及び外蓋５５Ｂと対向する領域の両方に跨がる仕切部５３ｂが一方の作業口５３ａ−１と他方の作業口５３ａ−２の間に存在するため、作業者は、他方の作業口５３ａ−２から一方側領域に対して作業を行うときに仕切部５３ｂが邪魔となって、一方側領域における組立てや保守点検等の作業がし難かった。
【０００４】
本発明は、上記問題を解決するために、浴槽エプロンで覆われた浴槽設置側領域の内のカウンターと対向する側の一方側領域に対して作業をし易くした浴室の提供を目的とする。
【課題を解決するための手段】
【０００５】
浴槽エプロンで覆われた浴槽設置側領域の内のカウンターと対向する側の一方側領域に対して作業をし易くするために請求項１記載の本発明が採用した手段は、洗い場側空間に面する浴槽エプロンと、下方に洗い場側空間の一部を開けたカウンターを備え、浴槽エプロンは、作業口を開口して一方から他方へ延びるエプロン本体と、エプロン本体に着脱可能に取付けて作業口を覆う内蓋と、エプロン本体に取付けてエプロン本体及び内蓋を覆う一方と他方に分割した外蓋とを備え、一方の外蓋とカウンターの端部とを接近させて対向させ、他方の外蓋とカウンターの端部とを対向させない浴室において、一方の外蓋とエプロン本体との間に、他方の外蓋をエプロン本体から分離したときに、一方の外蓋をカウンターの端部と対向する一方側位置からエプロン本体から分離できる他方側位置までエプロン本体に沿って案内する案内手段を設け、前記作業口及び内蓋が、前記エプロン本体における前記一方の外蓋と対向する領域及び前記他方の外蓋と対向する領域の両方に跨がっていることを特徴とする浴槽エプロン及びカウンターを備えた浴室である。なお、内蓋は、カウンターの端部と対向させないようにするとよい。
【０００６】
請求項１記載の本発明は、案内手段で一方の外蓋を案内してエプロン本体から分離することで、一方の外蓋で覆われていた内蓋の部分を洗い場側に露出させることができると共に、露出した内蓋をエプロン本体から分離することで、この内蓋で覆われていた作業口を洗い場側に露出させることができる。
【０００８】
また、請求項１記載の本発明は、エプロン本体から両方の外蓋を分離し、一方及び他方の外蓋と対向する両方の領域に跨がっている内蓋を取り外すことで、両方の領域に跨がっている作業口を開口させることができ、浴槽設置側領域の内のこの作業口に隣接する一方側領域に対する作業を、この作業口を介して洗い場空間から行なうことが可能となり、作業を更にし易くできる。
【発明の効果】
【０００９】
請求項１記載の本発明に係る浴槽エプロン及びカウンターを備えた浴室は、一方の外蓋で覆われていた作業口の部分を洗い場側に露出させ、浴槽設置側領域の内のこの作業口に隣接する一方側領域に対する作業を、洗い場側空間のカウンター下方部からも行なうことがでるので、作業をし易くすることができる。
【００１０】
また、請求項１記載の本発明に係る浴槽エプロン及びカウンターを備えた浴室は、一方及び他方の外蓋と対向する両方の領域に跨がる作業口を開口できるので、この作業口を利用して洗い場空間から浴槽設置側領域の内の一方側領域に対し行う作業を更にし易くできる。
【発明を実施するための最良の形態】
【００１１】
本発明に係る浴槽エプロン及びカウンターを備えた浴室（以下、「本発明浴室」と言う。）を図面に示す実施の形態に基づいて説明する。
【００１２】
（第１の実施の形態）
図１乃至図６は本発明浴室の第１の実施の形態を示すものであって、図１は本発明浴室１の左右の中間及び上側を省略すると共に洗い場防水パン８及びカウンター６を断面した正面図、図２は図１のＩＩ−ＩＩ線で断面して拡大した平面図であり、図（Ａ）は一方の外蓋５Ａ及び内蓋４Ａを取付た状態を示し、図（Ｂ）は開口した作業口３ａ−１を介して洗い場側空間Ｓ側から浴槽設置側領域Ｊの内の一方側領域Ｊａに対して作業ができる状態を示すものである。図３は浴槽エプロン２とカウンター６の接近した箇所を示す斜視図であり、図（Ａ）は他方の外蓋５Ｂを取付けた状態を示し、図（Ｂ）は他方の外蓋５Ｂを分離すると共に一方の外蓋５Ａを分離可能な位置Ｎまでスライド移動した状態を示す。図４は主要構成部材を分離した状態の正面図を示すものであって、図（Ａ）は左側を省略したエプロン本体３を示し、図（Ｂ）は一方の外蓋５Ａを示し、図（Ｃ）は左側を省略した他方の外蓋５Ｂを示し、図（Ｄ）は一方の内蓋４を示す。図５（Ａ）は図１のＶ−Ｖ線で断面して拡大した左側面図、図５（Ｂ）は一方の外蓋５Ａの前後方向の取付け位置を調節する箇所を拡大した左側面図である。図６は図１のＶＩ−ＶＩ線で断面（浴槽７は一部のみを断面）して拡大した左側面図である。
【００１３】
本発明浴室１は、図１、図５及び図６に示す如く、浴槽７の上縁部７ａと洗い場防水パン８の間に配置して洗い場側空間Ｓに面する浴槽エプロン２と、下方の洗い場床面Ｇとの間に洗い場側空間Ｓの一部Ｓａを開けて配置したカウンター６を備えている。浴槽エプロン２は、従来と同様に、作業口３ａを開口して一方（右側）から他方（左側）へ延びるエプロン本体３と、エプロン本体３に着脱可能に取付けて作業口３ａを覆う内蓋４と、エプロン本体３に取付けてエプロン本体３及び内蓋４を覆う外蓋５とを備え、外蓋５を一方の外蓋５Ａと他方の外蓋５Ｂとに分割し、一方の外蓋５Ａとカウンター６の端部６ａ（本例では後端部。図５参照）とを接近させて前後で対向させ、他方の外蓋５Ｂとカウンター６の端部６ａとを前後で対向させないようにしてある。エプロン本体３は、上部３ｃを浴槽７の上縁部７ａに接続すると共に下部３ｄを洗い場防水パン８に接続してある。内蓋４は、エプロン本体３にビス９等で水密状態で取付けて作業口３ａを覆っている。他方の外蓋５Ｂは、エプロン本体３に対して着脱自在に取付けられ、洗い場側空間Ｓ側から着脱操作ができるようになっている。両方の外蓋５Ａ，５Ｂは、エプロン本体３に取付けられたとき、表面が面一となるように形成されている。
【００１４】
本実施の形態に係る本発明浴室１は、作業口３ａとして一方及び他方に位置する二個の作業口３ａ−１，３ａ−２を備えると共に、内蓋４として各作業口に対応して二個の内蓋４Ａ，４Ｂを備え、一方及び他方の作業口３ａ−１，３ａ−２及び内蓋４Ａ，４Ｂを左右対称の形状とすることで、カウンター６を一方又は他方のいずれかに配置できるようにしてある。一方及び他方の作業口３ａ−１，３ａ−２及び内蓋４Ａ，４Ｂは、カウンター６の端部６ａと対向する領域を除く領域に設け、エプロン本体３から両方の外蓋５Ａ，５Ｂを分離したときに、洗い場空間Ｓ側から着脱作業ができるようにしてある。エプロン本体３は、二個の作業口３ａ−１，３ａ−２の間に仕切部３ｂを形成してある。
【００１５】
本発明浴室１の第１の改良点は、図１及び図５に示す如く、一方の外蓋５Ａとエプロン本体３との間に案内手段１０を設け、図３に示す如く、エプロン本体３から他方の外蓋５Ｂを分離して取外したときに、一方の外蓋５Ａを、エプロン本体３に案内手段１０で取付けてカウンター６の端部６ａと前後で対向する一方側位置Ｍ（図３（Ａ）参照）から案内手段１０で案内されずにエプロン本体３から分離できる他方側位置Ｎ（図３（Ｂ）参照）までの間で、エプロン本体３に沿って案内手段１０の案内によって移動できるようにしたことである。本発明浴室１の第２の改良点は、一方側（カウンター６を備える側）の作業口３ａ及び内蓋４が、エプロン本体３における一方及び他方の外蓋５Ａ，５Ｂと前後で対向する両方の領域Ｅ，Ｆに跨がるようにしたことである。本実施の形態において、内蓋４Ａは、両方の領域Ｅ，Ｆに跨がりつつ、前後方向でみたときにカウンター６の端部６ａと重なり合わない大きさに形成して、エプロン本体３から両方の外蓋５Ａ，５Ｂを分離した状態のときに洗い場空間Ｓ側から行なう着脱作業が簡単にできるようにしてある。
【００１６】
前記案内手段１０は、図５、図４及び図１に示す如く、上下の案内具１１，１２からなり、上方の案内具１１が、エプロン本体３に取付けたレール１４と、一方の外蓋５Ａに一体又は別体に設け、レール１４に摺動案内されるスライダ１５とを備え、下方の案内具１２が、エプロン本体３に取付けたレール１６と、外蓋５Ａに一体又は別体に設け、レール１６に摺動案内されるスライダ１７とを備えている。上方の案内具１１は、レール１４に左右方向へ延びる掛合突起部１４ａを形成すると共に、掛合突起部１４ａに掛合する下向き開口の掛合凹部１５ａをスライダ１５に形成し、外蓋５Ａの上方側が手前側（洗い場側）へ離脱するのを防止してある。また同様に、下方の案内具１２は、レール１６に左右方向へ延びる掛合凹溝１６ａをエプロン本体３との間に形成すると共に、掛合凹溝１６ａに掛合する下向きの掛合片１７ａをスライダ１７に形成し、外蓋５Ａの下方側が手前側（洗い場側）へ離脱するのを防止してある。なお、一方の外蓋５Ａは、案内手段１０によりカウンター６の端部６ａと対向する一方側位置Ｍ（図１参照）に取付けられた状況下で他方の外蓋５Ｂがエプロン本体３に取付けられると、他方側位置Ｎへ向かって移動しようとしても外蓋５Ｂに衝突して阻止されることになり、エプロン本体３から分離することはない。
【００１７】
上方の案内具１１は、図５（Ｂ）に示す如く、一方側位置Ｍ（図１参照）に取付けられた外蓋５Ａの表面とカウンター６の端部６ａの間に形成される隙間の調節を行うために、エプロン本体３に対するレール１４の取付けを、隙間調節用ワッシャ１８を介し又は介することなく行っている。この隙間調節は、浴室を構築する壁パネル１９（図１及び図６参照）に対して取付け固定したカウンター６の位置が所定位置からズレた場合に対処するためである。
【００１８】
本実施の形態に係るエプロン本体３は、図５及び図１に示す如く、上方に収納段部３ｅを設け、収納段部３ｅに外蓋５Ａ，５Ｂの上部側を収納して、外蓋５Ａ，５Ｂが上方へ移動して離脱するのを阻止するようにしてある。なお、この離脱阻止の構造を採用しないときには、図示は省略したが、案内手段１０に、外蓋５Ａ，５Ｂを上方へ離脱させない掛合機構を備えるとよい。
【００１９】
本実施の形態に係る本発明浴室１は、図１に示す如く、カウンター６の端部６ａと前後で対向するエプロン本体３の領域に配管２０，２０を通し、カウンター６に取付けた水栓器具（図示略）へ通水できるようにしてある。この場合、外蓋５Ａは、図３（Ｂ）及び図４（Ｂ）に示す如く、一方側が開いた横向きの切込み部２１を形成して、移動するときに配管２０，２０と干渉しないようにしてある。横向きの切込み部２１は、外蓋５Ａがカウンター６の端部６ａと対向する一方側位置Ｍ（図３（Ａ）参照）に取付けた状態のとき、カウンター６の端部６ａと対向する領域内に形成され、洗い場空間Ｓに露出させないようにしてある。
【００２０】
本発明浴室１は、案内手段１０で一方の外蓋５Ａを案内してエプロン本体３から分離することで一方の外蓋５Ａで覆われていた内蓋４Ａの部分を洗い場側に露出させることができる（図３（Ｂ）参照）と共に、露出した内蓋４Ａをエプロン本体３から分離することで内蓋４Ａで覆われていた作業口３ａ−１を洗い場側に露出させることができ、図２（Ｂ）に示すように、エプロン本体３で覆われている浴槽設置側領域Ｊの内の一方の作業口３ａ−１に隣接する一方側領域Ｊａに対して作業口３ａ−１を介して洗い場側空間Ｓから作業を行うことができるので、その作業がし易くなる。
【００２１】
更に、本発明浴室１は、図２に示すように、エプロン本体３から両方の外蓋５Ａ，５Ｂを分離し、両方の外蓋５Ａ，５Ｂと対向する両方の領域Ｅ，Ｆに跨がっている一方の内蓋４Ａを取り外すことで、両方の領域Ｅ，Ｆに跨がっている一方の作業口３ａ−１を開口させ、エプロン本体３で覆われている浴槽設置側領域Ｊの内の一方側領域Ｊａに対する配管や保守点検等の作業を、白抜き矢符Ｋに示すように洗い場空間Ｓのカウンター隣接他方部分（カウンター６に隣接する他方側の部分）Ｓｂ（図１及び図４（Ａ）も参照）から大きく開口した作業口３ａ−１を介して更に容易に行うようにすることができる。
【００２２】
（参考形態）
図７は浴室の参考形態を示すものであって、浴槽エプロン２の左右の中間及び上側を省略すると共に洗い場防水パン８及びカウンター６を断面した正面図である。
【００２３】
参考形態に係る浴室３１が前記第１の実施の形態に係る本発明浴室１（図１乃至図６参照）と大きく異なる点は、一方の作業口３ａ−１及び一方の内蓋４Ａを、カウンター６の高さ位置より下方で、且つ一方の外蓋５Ａのみと前後で対向する位置に備えたことであり、その他の構成等については第１の実施の形態と実質的に同一であり、図７において図１乃至図６と同一符号は相当部分を示す。
【００２４】
参考形態に係る浴室３１は、一方の作業口３ａ−１及び一方の内蓋４Ａを第１の実施の形態に比べて小さくして一方の内蓋４Ａの着脱作業を簡単にすることが可能となる。
【図面の簡単な説明】
【００２５】
【図１】本発明浴室の第１の実施の形態を示すものであって、本発明浴室の左右の中間及び上側を省略すると共に洗い場防水パン及びカウンターを断面した正面図である。
【図２】図１のＩＩ−ＩＩ線で断面して拡大した平面図であり、図（Ａ）は一方の外蓋及び内蓋を取付た状態を示し、図（Ｂ）は開口した作業口を介して洗い場側空間から浴槽設置側領域の内の一方側領域に対して作業ができる状態を示すものである。
【図３】同実施の形態において浴槽エプロンとカウンターの接近した箇所を示す斜視図であり、図（Ａ）は他方の外蓋を取付けた状態を示し、図（Ｂ）は他方の外蓋を分離すると共に一方の外蓋を分離可能な位置までスライド移動した状態を示す。
【図４】同実施の形態における主要構成部材を分離した状態の正面図を示すものであって、図（Ａ）は左側を省略したエプロン本体を示し、図（Ｂ）は一方の外蓋を示し、図（Ｃ）は左側を省略した他方の外蓋を示し、図（Ｄ）は一方の内蓋を示す。
【図５】図（Ａ）は図１のＶ−Ｖ線で断面して拡大した左側面図、図（Ｂ）は一方の外蓋の前後方向の取付け位置を調節する箇所を拡大した左側面図である。
【図６】図１のＶＩ−ＶＩ線で断面（浴槽は一部のみを断面）して拡大した左側面図である。
【図７】浴室の参考形態を示すものであって、浴室の左右の中間及び上側を省略すると共に洗い場防水パン及びカウンターを断面した正面図である。
【図８】従来の浴槽エプロン及びカウンターを備えた浴室を示すものであって、外蓋の一部を破断した正面である。
【符号の説明】
【００２６】
１…本発明浴室、２…浴槽エプロン、３…エプロン本体、３ａ（３ａ−１，３ａ−２）…作業口、４…内蓋、５…外蓋、５Ａ…一方の外蓋、５Ｂ…他方の外蓋、６…カウンター、６ａ…端部、７…浴槽、８…洗い場防水パン、１０…案内手段
【図１】
0005106059.tif 000002
【図２】
0005106059.tif 000003
【図３】
0005106059.tif 000004
【図４】
0005106059.tif 000005
【図５】
0005106059.tif 000006
【図６】
0005106059.tif 000007
【図７】
0005106059.tif 000008
【図８】
0005106059.tif 000009